(57)【特許請求の範囲】
【請求項１】
家庭内ネットワークを含むネットワークに接続され、前記移動端末が前記ネットワークにアクセスするための窓口となるＩＳＰ（Ｉｎｔｅｒｎｅｔ  Ｓｅｒｖｉｃｅ  Ｐｒｏｖｉｄｅｒ）網と、前記家庭内ネットワーク内に設置され、前記移動端末からの前記ネットワークへのアクセス要求を受け付け、前記ＩＳＰ網との間にデータパスを生成する基地局と、前記データパスを使用して前記ＩＳＰ網経由で前記ネットワークにアクセスする移動端末と、を有し、
前記ＩＳＰ網内に認証手段と接続制御手段とを有し、
前記基地局は、前記移動端末から前記家庭内ネットワークへのアクセス要求を受け付けた場合、当該基地局と前記移動端末に関する情報を前記接続制御手段に送信し、
前記認証手段は、前記基地局から送信された前記情報が前記接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知し、
前記接続制御手段は、前記認証手段からの前記通知に基づいて、前記Ｈｏｍｅ  ＮＷ連携サービス提供用のデータパスの生成を前記基地局に要請し、
前記基地局は、前記接続制御手段からの前記要請に従い、前記Ｈｏｍｅ  ＮＷ連携サービス提供用のデータパスを生成する、通信システム。
【請求項２】
請求項１に記載の通信システムにおいて、
前記接続制御手段は、前記基地局から前記情報を受信した場合、前記認証手段に対して、前記移動端末への前記Ｈｏｍｅ  ＮＷ連携サービスの提供が可能か否かの問い合わせを行い、
前記認証手段は、前記接続制御手段からの前記問合せに応じて、Ｈｏｍｅ  ＮＷ連携サービスを前記移動端末に提供可能か否かを判定する、通信システム。
【請求項３】
請求項１または請求項２に記載の通信システムにおいて、
前記基地局は、前記Ｈｏｍｅ  ＮＷ連携サービス提供用のデータパスを生成する機能を具備していることを自身のセル内の全ての端末に通知する、通信システム。
【請求項４】
請求項１から請求項３のいずれか１項に記載の通信システムにおいて、
前記移動端末は、前記家庭内ネットワークへのアクセス要求時に、前記Ｈｏｍｅ  ＮＷ連携サービスの提供を希望するか否かを示す情報を前記基地局を介して前記接続制御手段に送信し、
前記接続制御手段は、前記移動端末への前記Ｈｏｍｅ  ＮＷ連携サービスの提供が可能な旨の通知を前記認証手段から受信し、前記移動端末から受信した前記情報が前記Ｈｏｍｅ  ＮＷ連携サービスの提供を希望する旨を示す場合に、前記Ｈｏｍｅ  ＮＷ連携サービス提供用のデータパスの生成を前記基地局に要請する、通信システム。
【請求項５】
請求項１から請求項４のいずれか１項に記載の通信システムにおいて、
前記移動端末は、前記ＩＳＰ網経由で前記ネットワークにアクセスしている最中に、前記Ｈｏｍｅ  ＮＷ連携サービスにて前記家庭内ネットワークへのアクセスを希望する場合、前記基地局を介して、新規データパスの生成を要求するベアラ生成要求に前記Ｈｏｍｅ  ＮＷ連携サービスの提供を希望する旨の情報を含めて前記接続制御手段に送信し、
前記接続制御手段は、前記ベアラ生成要求を受信し、前記認証手段からサービス提供が可能な旨の通知を受信している場合に、前記Ｈｏｍｅ  ＮＷ連携サービス提供用のデータパスの生成を前記基地局に要請する、通信システム。
【請求項６】
家庭内ネットワークを含むネットワークに接続され、移動端末が前記ネットワークにアクセスするための窓口となるＩＳＰ網内に設置された認証装置であって、
前記家庭内ネットワーク内に設置された基地局から送信された、該基地局と該基地局に前記家庭内ネットワークへのアクセス要求を行った前記移動端末とに関する情報が前記ＩＳＰ網内に設置された接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知する、認証装置。
【請求項７】
家庭内ネットワークを含むネットワークに接続され、移動端末が前記ネットワークにアクセスするための窓口となるＩＳＰ網内に設置された接続制御装置であって、
前記家庭内ネットワーク内に設置された基地局から送信された、該基地局と該基地局に前記家庭内ネットワークへのアクセス要求を行った前記移動端末に関する情報を受信し、前記ＩＳＰ網内に設置された認証手段から、前記基地局を介して前記ＩＳＰ網を経由せずに前記家庭内ネットワークにアクセスするＨｏｍｅ  ＮＷ連携サービスの前記移動端末への提供が可能な旨の通知を受信した場合に、前記Ｈｏｍｅ  ＮＷ連携サービス提供用のデータパスの生成を前記基地局に要請する、接続制御装置。
【請求項８】
請求項７に記載の接続制御装置において、
前記基地局から前記情報を受信した場合に、前記認証手段に対して、前記移動端末への前記Ｈｏｍｅ  ＮＷ連携サービスの提供が可能か否かを問い合わせる、接続制御装置。
【請求項９】
請求項７または請求項８に記載の接続制御装置において、
前記移動端末は、前記家庭内ネットワークへのアクセス要求時に、前記Ｈｏｍｅ  ＮＷ連携サービスの提供を希望するか否かを示す情報を前記基地局を介して前記接続制御装置に送信するものとし、
前記移動端末への前記Ｈｏｍｅ  ＮＷ連携サービスの提供が可能な旨の通知を前記認証手段から受信し、前記移動端末から受信した前記情報が前記Ｈｏｍｅ  ＮＷ連携サービスの提供を希望する旨を示す場合に、前記Ｈｏｍｅ  ＮＷ連携サービス提供用のデータパスの生成を前記基地局に要請する、接続制御装置。
【請求項１０】
請求項７から請求項９のいずれか１項に記載の接続制御装置において、
前記移動端末は、前記基地局が前記移動通信網との間に生成したデータパスを使用して前記移動通信網経由で前記ネットワークにアクセスしている最中に、前記Ｈｏｍｅ  ＮＷ連携サービスにて前記家庭内ネットワークへのアクセスを希望する場合、前記基地局を介して、新規データパスの生成を要求するベアラ生成要求に前記Ｈｏｍｅ  ＮＷ連携サービスの提供を希望する旨の情報を含めて前記接続制御装置に送信するものとし、
前記ベアラ生成要求を受信し、前記認証手段からサービス提供が可能な旨の通知を受信している場合に、前記Ｈｏｍｅ  ＮＷ連携サービス提供用のデータパスの生成を前記基地局に要請する、接続制御装置。
【請求項１１】
家庭内ネットワーク内に設置され、移動端末から前記家庭内ネットワークを含むネットワークへのアクセス要求を受け付け、前記ネットワークに接続され、前記移動端末が前記ネットワークにアクセスするための窓口となるＩＳＰ網との間に、前記移動端末が該ＩＳＰ網経由で前記ネットワークにアクセスするために使用するデータパスを生成する基地局であって、
前記移動端末から前記家庭内ネットワークへのアクセス要求を受け付けた場合、当該基地局と前記移動端末とに関する情報を前記ＩＳＰ網内に設置された接続制御手段に送信し、該接続制御手段から、前記ＩＳＰ網を経由せずに前記家庭内ネットワークにアクセスするＨｏｍｅ  ＮＷ連携サービス提供用のデータパスの生成を要請された場合に、該データパスを生成する、基地局。
【請求項１２】
請求項１１に記載の基地局において、
前記Ｈｏｍｅ  ＮＷ連携サービス提供用のデータパスを生成する機能を具備していることを自身のセル内の全ての移動端末に通知する、基地局。
【請求項１３】
家庭内ネットワーク内に設置された基地局に対して前記家庭内ネットワークを含むネットワークへのアクセス要求を行い、前記ネットワークに接続され、前記ネットワークにアクセスするための窓口となるＩＳＰ網との間に前記基地局が生成したデータパスを使用して前記ＩＳＰ網経由で前記ネットワークにアクセスする移動端末であって、
前記家庭内ネットワークへのアクセス要求時に、前記基地局を介して前記ＩＳＰ網を経由せずに前記家庭内ネットワークにアクセスするＨｏｍｅ  ＮＷ連携サービスの提供を希望するか否かの情報を、前記基地局を介して前記ＩＳＰ内に設置された接続制御手段に送信する、移動端末。
【請求項１４】
請求項１３に記載の移動端末において、
前記ＩＳＰ網経由で前記ネットワークにアクセスしている最中に、前記Ｈｏｍｅ  ＮＷ連携サービスにて前記家庭内ネットワークへのアクセスを希望する場合、前記基地局を介して、新規データパスの生成を要求するベアラ生成要求に前記Ｈｏｍｅ  ＮＷ連携サービスの提供を希望する旨の情報を含めて前記接続制御手段に送信する、移動端末。
【請求項１５】
家庭内ネットワークを含むネットワークに接続され、移動端末が前記ネットワークにアクセスするための窓口となるＩＳＰ網内に設置された認証装置が行うサービス提供可否判定方法であって、
前記家庭内ネットワーク内に設置された基地局から送信された、該基地局と該基地局に前記家庭内ネットワークへのアクセス要求を行った前記移動端末とに関する情報が前記ＩＳＰ網内に設置された接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知する、サービス提供可否判定方法。
【請求項１６】
家庭内ネットワークを含むネットワークに接続され、移動端末が前記ネットワークにアクセスするための窓口となるＩＳＰ網内に設置された接続制御装置が行う基地局制御方法であって、
前記家庭内ネットワーク内に設置された基地局から送信された、該基地局と該基地局に前記家庭内ネットワークへのアクセス要求を行った前記移動端末とに関する情報を受信し、前記ＩＳＰ網内に設置された認証手段から、前記基地局を介して前記ＩＳＰ網を経由せずに前記家庭内ネットワークにアクセスするＨｏｍｅ  ＮＷ連携サービスの前記移動端末への提供が可能な旨の通知を受信した場合に、前記Ｈｏｍｅ  ＮＷ連携サービス提供用のデータパスの生成を前記基地局に要請する第１要請ステップを有する、基地局制御方法。
【請求項１７】
請求項１６に記載の基地局制御方法において、
前記基地局から前記情報を受信した場合に、前記認証手段に対して、前記移動端末への前記Ｈｏｍｅ  ＮＷ連携サービスの提供が可能か否かを問い合わせる問合せステップをさらに有する、基地局制御方法。
【請求項１８】
請求項１６または請求項１７に記載の基地局制御方法において、
前記移動端末は、前記家庭内ネットワークへのアクセス要求時に、前記Ｈｏｍｅ  ＮＷ連携サービスの提供を希望するか否かを示す情報を前記基地局を介して前記接続制御装置に送信するものとし、
前記第１要請ステップでは、前記移動端末への前記Ｈｏｍｅ  ＮＷ連携サービスの提供が可能な旨の通知を前記認証手段から受信し、前記移動端末から受信した前記情報が前記Ｈｏｍｅ  ＮＷ連携サービスの提供を希望する旨を示す場合に、前記Ｈｏｍｅ  ＮＷ連携サービス提供用のデータパスの生成を前記基地局に要請する、基地局制御方法。
【請求項１９】
請求項１６から請求項１８のいずれか１項に記載の基地局制御方法において、
前記移動端末は、前記基地局が前記ＩＳＰ網との間に生成したデータパスを使用して前記ＩＳＰ網経由で前記ネットワークにアクセスしている最中に、前記Ｈｏｍｅ  ＮＷ連携サービスにて前記家庭内ネットワークへのアクセスを希望する場合、前記基地局を介して、新規データパスの生成を要求するベアラ生成要求に前記Ｈｏｍｅ  ＮＷ連携サービスの提供を希望する旨の情報を含めて前記接続制御装置に送信するものとし、
前記ベアラ生成要求を受信し、前記認証手段からサービス提供が可能な旨の通知を受信している場合に、前記Ｈｏｍｅ  ＮＷ連携サービス提供用のデータパスの生成を前記基地局に要請する第２要請ステップをさらに有する、基地局制御方法。
【請求項２０】
家庭内ネットワーク内に設置され、移動端末からの前記家庭内ネットワークを含むネットワークへのアクセス要求を受け付け、前記ネットワークに接続され、前記移動端末が前記ネットワークにアクセスするための窓口となるＩＳＰ網との間に前記移動端末が前記ＩＳＰ網経由で前記ネットワークにアクセスするために使用するデータパスを生成する基地局が行うデータパス生成方法であって、
前記移動端末から前記家庭内ネットワークへのアクセス要求を受け付けた場合、当該基地局と前記移動端末とに関する情報を前記ＩＳＰ網内に設置された接続制御手段に送信し、該接続制御手段から、前記ＩＳＰ網を経由せずに前記家庭内ネットワークにアクセスするＨｏｍｅ  ＮＷ連携サービス提供用のデータパスの生成を要請された場合に、該データパスを生成する生成ステップを有する、データパス生成方法。
【請求項２１】
請求項２０に記載のデータパス生成方法において、
前記Ｈｏｍｅ  ＮＷ連携サービス提供用のデータパスを生成する機能を具備していることを自身のセル内の全ての移動端末に通知する通知ステップを有する、データパス生成方法。
【請求項２２】
家庭内ネットワーク内に設置された基地局に対して前記家庭内ネットワークを含むネットワークへのアクセス要求を行い、前記ネットワークに接続され、前記ネットワークにアクセスするための窓口となるＩＳＰ網との間に前記基地局が生成したデータパスを使用して前記ＩＳＰ網経由で前記ネットワークにアクセスする移動端末が行うサービス要求方法であって、
前記家庭内ネットワークへのアクセス要求時に、前記基地局を介して前記ＩＳＰ網を経由せずに前記家庭内ネットワークにアクセスするＨｏｍｅ  ＮＷ連携サービスの提供を希望するか否かの情報を、前記基地局を介して前記ＩＳＰ網内に設置された接続制御手段に送信する第１要求ステップを有する、サービス要求方法。
【請求項２３】
請求項２２に記載のサービス要求方法において、
前記ＩＳＰ網経由で前記ネットワークにアクセスしている最中に、前記Ｈｏｍｅ  ＮＷ連携サービスにて前記家庭内ネットワークへのアクセスを希望する場合、前記基地局を介して、新規データパスの生成を要求するベアラ生成要求に前記Ｈｏｍｅ  ＮＷ連携サービスの提供を希望する旨の情報を含めて前記接続制御手段に送信する第２要求ステップをさらに有する、サービス要求方法。
【請求項２４】
移動端末が、屋内ネットワークに設置された基地局を介して、該屋内ネットワーク上の端末にローカルアクセスする通信方法であって、
前記ローカルアクセスの確立要求を、コアネットワークに送信し、
前記コアネットワーク側で、前記確立要求の認証可否を判定し、
前記確立要求が認証された場合、前記コアネットワークを経由しない、前記ローカルアクセス用のコネクションを確立する
ことを特徴とする通信方法。
【請求項２５】
前記確立要求に、前記基地局における前記ローカルアクセスのサポート可否に関する情報を付加して転送する
ことを特徴とする請求項２４に記載の通信方法。
【請求項２６】
前記コアネットワーク側で、前記移動端末の利用者に関する情報及び前記基地局における前記ローカルアクセスのサポート可否に関する情報に従って、前記確立要求の認証可否を判定する
ことを特徴とする請求項２４に記載の通信方法。
【請求項２７】
無線ネットワークを介して、前記ローカルアクセスのサポート可否を前記移動端末に通知する
ことを特徴とする請求項２４に記載の通信方法。
【請求項２８】
屋内ネットワークに設置された基地局と、
前記基地局を介して前記屋内ネットワーク上の端末へローカルアクセスするために、該ローカルアクセスの確立要求をコアネットワークに送信する移動端末と、
前記コアネットワーク側に設置され、前記確立要求の認証可否を判定する制御装置とを備え、
前記基地局は、前記確立要求が認証された場合、前記コアネットワークを経由しない、前記ローカルアクセス用のコネクションを確立する
ことを特徴とする無線通信システム。
【請求項２９】
前記基地局は、前記確立要求に、前記基地局における前記ローカルアクセスのサポート可否に関する情報を含めて転送する
ことを特徴とする請求項２８に記載の無線通信システム。
【請求項３０】
前記制御装置は、前記移動端末の利用者に関する情報及び前記基地局における前記ローカルアクセスのサポート可否に関する情報に従って、前記確立要求の認証可否を判定する
ことを特徴とする請求項２８に記載の無線通信システム。
【請求項３１】
前記基地局は、無線ネットワークを介して、前記ローカルアクセスのサポート可否を前記移動端末に通知する
を特徴とする請求項２８に記載の無線通信システム。
【発明の詳細な説明】
【技術分野】
【０００１】
本発明は、通信システム、接続制御装置、移動端末、基地局制御方法、サービス要求方法、およびプログラムに関する。
【背景技術】
【０００２】
近年、いわゆる第三世代携帯電話システムの発展に伴い、カバー範囲が半径数十メートル程度のフェムトセル用基地局を家庭やオフィスに配置し、携帯移動端末から家庭内ＮＷ（ＮｅｔＷｏｒｋ）やオフィス内ＮＷの固定端末等のノードにアクセスし、それらを操作出来るようになりつつある。【０００３】
この様なフェムトセル（Ｆｅｍｔｏ  Ｃｅｌｌ）用基地局を収容した通信システムの一例が、３ＧＰＰ  ＴＲ  ２５．８２０  Ｖ８．０．０“３Ｇ  Ｈｏｍｅ  ＮｏｄｅＢ  Ｓｔｕｄｙ  Ｉｔｅｍ  Ｔｅｃｈｎｉｃａｌ  Ｒｅｐｏｒｔ  （Ｒｅｌｅａｓｅ  ８）”（以下、文献１という）に記載されている。【０００４】
図１は、文献１に記載されているフェムトセル基地局を収容した通信システムの構成の一例を示すブロック図である。【０００５】
図１に示すように、この通信システムは、移動端末向けＩＳＰ（Ｉｎｔｅｒｎｅｔ  Ｓｅｒｖｉｃｅ  Ｐｒｏｖｉｄｅｒ）網３０１と、Ｈｏｍｅ  ＧＷ（ＧａｔｅＷａｙ）向けＩＳＰ網３０２と、アクセス網３０３と、家庭内ＮＷ３０４と、から構成されている。【０００６】
また、移動端末向けＩＳＰ網３０１は、ＨＳＳ（Ｈｏｍｅ  Ｓｕｂｓｃｒｉｂｅｒ  Ｓｅｒｖｅｒ）３１１と、ＰＤＮ（Ｐａｃｋｅｔ  Ｄａｔａ  Ｎｅｔｗｏｒｋ）−ＧＷ３１２と、ＭＭＥ（Ｍｏｂｉｌｉｔｙ  Ｍａｎａｇｅｍｅｎｔ  Ｅｎｔｉｔｙ）３１３と、Ｓｅｒｖｉｎｇ  ＧＷ３１４とを有しており、Ｈｏｍｅ  ＧＷ向けＩＳＰ網３０２は、ルータ３２１を有しており、アクセス網３０３は、ＢＡＳ（Ｂｒｏａｄｂａｎｄ  Ａｃｃｅｓｓ  Ｓｅｒｖｅｒ）３３１を有しており、家庭内ＮＷは、移動端末３４１と、Ｆｅｍｔｏ  Ｃｅｌｌ用基地局３４２と、Ｈｏｍｅ  ＧＷ３４３と、固定端末３４４とを有している。【０００７】
この様な構成を有する通信システムの動作について説明する。【０００８】
図２は、図１に示した通信システムの動作の一例を説明するフローチャートである。【０００９】
図２に示すように、まず、移動端末３４１は、Ｆｅｍｔｏ  Ｃｅｌｌ用基地局３４２を介してネットワークにアクセスために、アクセス要求としてアタッチ要求をＦｅｍｔｏ  Ｃｅｌｌ用基地局３４２に送信する（ステップ７００）。【００１０】
Ｆｅｍｔｏ  Ｃｅｌｌ用基地局３４２は、アタッチ要求を受信すると、Ｈｏｍｅ  ＧＷ３４３とＢＡＳ３３１とルータ３２１とを介して、アタッチトリガをＭＭＥ３１３に送信する（ステップ７０１）。【００１１】
ＭＭＥ３１３は、アタッチトリガを受信し、移動端末３４１のアタッチ要求を検知すると、移動端末３４１のアクセス認証を実施する（ステップ７０２）。【００１２】
ＭＭＥ３１３は、移動端末３４１のアクセス認証が成功すると、Ｓｅｒｖｉｎｇ  ＧＷ３１４にデータパス生成要請を送信する（ステップ７０３）。【００１３】
Ｓｅｒｖｉｎｇ  ＧＷ３１４は、データパス生成要請を受信すると、ＰＤＮ−ＧＷ３１２とデータパス生成用のシグナリングを交換し、Ｓｅｒｖｉｎｇ  ＧＷ３１４とＰＤＮ−ＧＷ３１２との間にデータパスを生成する（ステップ７０４）。その後、Ｓｅｒｖｉｎｇ  ＧＷ３１４は、データパス生成完了を通知するため、ＭＭＥ３１３にデータパス生成応答を送信する（ステップ７０５）。【００１４】
ＭＭＥ３１３は、データパス生成応答を受信すると、移動端末３４１までのデータパスを生成するために、Ｆｅｍｔｏ  Ｃｅｌｌ用基地局３４２にデータパス生成要請を送信する（ステップ７０６）。【００１５】
Ｆｅｍｔｏ  Ｃｅｌｌ用基地局３４２は、データパス生成要請を受信すると、移動端末３４１との間にデータパスを生成し（ステップ７０７）、ＭＭＥ３１３にデータパス生成応答を送信する（ステップ７０８）。【００１６】
これにより、移動端末３４１とＰＤＮ−ＧＷ３１２との間にデータパスが生成され、移動端末３４１は、移動端末向けＩＳＰ網３０１を介して、ＰＤＮ−ＧＷ３１２からネットワークにアクセスすることができる。その後、移動端末３４１は、移動端末向けＩＳＰ網３０１を介して、ネットワーク経由で、家庭内ＮＷ３０４内の固定端末３４４にアクセスし、操作することができる。
【発明の概要】
【発明が解決しようとする課題】
【００１７】
しかし、文献１に記載の通信システムには、移動端末３４１と固定端末３４４との間のデータパスが非効率な通信経路を辿っているという欠点がある。なぜならば、文献１に記載の通信システムでは、家庭内ＮＷ３０４内のＦｅｍｔｏ  Ｃｅｌｌ用基地局３４２がセルラー既存のＩＦ（ＩｎｔｅｒＦａｃｅ）を介して移動端末向けＩＳＰ網３０１に接続し、移動端末３４１と移動端末向けＩＳＰ網３０１と間のデータパスを確立し、移動端末３４１は、そのデータパスを使用して移動端末向けＩＳＰ網３０１経由でネットワークにアクセスしている。そのため、移動端末３４１が家庭内ＮＷ３０４内の固定端末３４４と通信する場合、移動端末３４１と固定端末３４４との間で通信される全てのＩＰパケットが、移動端末向けＩＳＰ網３０１経由になってしまうからである。【００１８】
この欠点を解決する方法として、移動端末３４１が、移動端末向けＩＳＰ網３０１との間にデータパスを生成せず、Ｆｅｍｔｏ  Ｃｅｌｌ用基地局３４２とＨｏｍｅ  ＧＷ３４３を介して、固定端末３４４と通信する方法が考えられる。しかし、この場合、移動端末向けＩＳＰ網３０１で移動端末３４１のアクセス認証等の接続制御を行うことが出来ない。そのため、上述のような通信システムサービスを提供する移動端末向けＩＳＰが不利益を被る場合がある。【００１９】
本発明の目的は、移動端末３４１が移動端末向けＩＳＰ網３０１を経由することなくＦｅｍｔｏ  Ｃｅｌｌ用基地局３４２を介して家庭内ＮＷ３０４内の他のノードと通信することができ、かつその通信の提供の可否を移動端末向けＩＳＰが制御することが出来る通信システム、接続制御装置、移動端末、基地局制御方法、サービス要求方法、およびプログラムを提供することにある。
【課題を解決するための手段】
【００２０】
上記目的を達成するために、本発明の通信システムは、
家庭内ネットワークを含むネットワークに接続され、前記移動端末が前記ネットワークにアクセスするための窓口となるＩＳＰ（Ｉｎｔｅｒｎｅｔ  Ｓｅｒｖｉｃｅ  Ｐｒｏｖｉｄｅｒ）網と、前記家庭内ネットワーク内に設置され、前記移動端末からの前記ネットワークへのアクセス要求を受け付け、前記ＩＳＰ網との間にデータパスを生成する基地局と、前記データパスを使用して前記ＩＳＰ網経由で前記ネットワークにアクセスする移動端末と、を有し、
前記ＩＳＰ網内に認証手段と接続制御手段とを有し、
前記基地局は、前記移動端末から前記家庭内ネットワークへのアクセス要求を受け付けた場合、当該基地局と前記移動端末に関する情報を前記接続制御手段に送信し、
前記認証手段は、前記基地局から送信された前記情報が前記接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知し、
前記接続制御手段は、前記認証手段からの前記通知に基づいて、前記Ｈｏｍｅ  ＮＷ連携サービス提供用のデータパスの生成を前記基地局に要請し、
前記基地局は、前記接続制御手段からの前記要請に従い、前記Ｈｏｍｅ  ＮＷ連携サービス提供用のデータパスを生成する。【００２１】
上記目的を達成するために本発明の認証装置は、
家庭内ネットワークを含むネットワークに接続され、移動端末が前記ネットワークにアクセスするための窓口となるＩＳＰ網内に設置された認証装置であって、
前記家庭内ネットワーク内に設置された基地局から送信された、該基地局と該基地局に前記家庭内ネットワークへのアクセス要求を行った前記移動端末とに関する情報が前記ＩＳＰ網内に設置された接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知する。【００２２】
上記目的を達成するために本発明の接続制御装置は、
家庭内ネットワークを含むネットワークに接続され、移動端末が前記ネットワークにアクセスするための窓口となるＩＳＰ網内に設置された接続制御装置であって、
前記家庭内ネットワーク内に設置された基地局から送信された、該基地局と該基地局に前記家庭内ネットワークへのアクセス要求を行った前記移動端末に関する情報を受信し、前記ＩＳＰ網内に設置された認証手段から、前記基地局を介して前記ＩＳＰ網を経由せずに前記家庭内ネットワークにアクセスするＨｏｍｅ  ＮＷ連携サービスの前記移動端末への提供が可能な旨の通知を受信した場合に、前記Ｈｏｍｅ  ＮＷ連携サービス提供用のデータパスの生成を前記基地局に要請する。【００２３】
上記目的を達成するために本発明の基地局は、
家庭内ネットワーク内に設置され、移動端末から前記家庭内ネットワークを含むネットワークへのアクセス要求を受け付け、前記ネットワークに接続され、前記移動端末が前記ネットワークにアクセスするための窓口となるＩＳＰ網との間に、前記移動端末が該ＩＳＰ網経由で前記ネットワークにアクセスするために使用するデータパスを生成する基地局であって、
前記移動端末から前記家庭内ネットワークへのアクセス要求を受け付けた場合、当該基地局と前記移動端末とに関する情報を前記ＩＳＰ網内に設置された接続制御手段に送信し、該接続制御手段から、前記ＩＳＰ網を経由せずに前記家庭内ネットワークにアクセスするＨｏｍｅ  ＮＷ連携サービス提供用のデータパスの生成を要請された場合に、該データパスを生成する。【００２４】
上記目的を達成するために本発明の移動端末は、
家庭内ネットワーク内に設置された基地局に対して前記家庭内ネットワークを含むネットワークへのアクセス要求を行い、前記ネットワークに接続され、前記ネットワークにアクセスするための窓口となるＩＳＰ網との間に前記基地局が生成したデータパスを使用して前記ＩＳＰ網経由で前記ネットワークにアクセスする移動端末であって、
前記家庭内ネットワークへのアクセス要求時に、前記基地局を介して前記ＩＳＰ網を経由せずに前記家庭内ネットワークにアクセスするＨｏｍｅ  ＮＷ連携サービスの提供を希望するか否かの情報を、前記基地局を介して前記ＩＳＰ内に設置された接続制御手段に送信する。【００２５】
上記目的を達成するために、本発明のサービス提供可否判定方法は、
家庭内ネットワークを含むネットワークに接続され、移動端末が前記ネットワークにアクセスするための窓口となるＩＳＰ網内に設置された認証装置が行うサービス提供可否判定方法であって、
前記家庭内ネットワーク内に設置された基地局から送信された、該基地局と該基地局に前記家庭内ネットワークへのアクセス要求を行った前記移動端末とに関する情報が前記ＩＳＰ網内に設置された接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知する。【００２６】
上記目的を達成するために本発明の基地局制御方法は、
家庭内ネットワークを含むネットワークに接続され、移動端末が前記ネットワークにアクセスするための窓口となるＩＳＰ網内に設置された接続制御装置が行う基地局制御方法であって、
前記家庭内ネットワーク内に設置された基地局から送信された、該基地局と該基地局に前記家庭内ネットワークへのアクセス要求を行った前記移動端末とに関する情報を受信し、前記ＩＳＰ網内に設置された認証手段から、前記基地局を介して前記ＩＳＰ網を経由せずに前記家庭内ネットワークにアクセスするＨｏｍｅ  ＮＷ連携サービスの前記移動端末への提供が可能な旨の通知を受信した場合に、前記Ｈｏｍｅ  ＮＷ連携サービス提供用のデータパスの生成を前記基地局に要請する第１要請ステップを有する。【００２７】
上記目的を達成するために本発明のデータパス生成方法は、
家庭内ネットワーク内に設置され、移動端末からの前記家庭内ネットワークを含むネットワークへのアクセス要求を受け付け、前記ネットワークに接続され、前記移動端末が前記ネットワークにアクセスするための窓口となるＩＳＰ網との間に前記移動端末が前記ＩＳＰ網経由で前記ネットワークにアクセスするために使用するデータパスを生成する基地局が行うデータパス生成方法であって、
前記移動端末から前記家庭内ネットワークへのアクセス要求を受け付けた場合、当該基地局と前記移動端末とに関する情報を前記ＩＳＰ網内に設置された接続制御手段に送信し、該接続制御手段から、前記ＩＳＰ網を経由せずに前記家庭内ネットワークにアクセスするＨｏｍｅ  ＮＷ連携サービス提供用のデータパスの生成を要請された場合に、該データパスを生成する生成ステップを有する。【００２８】
上記目的を達成するために本発明のサービス要求方法は、
家庭内ネットワーク内に設置された基地局に対して前記家庭内ネットワークを含むネットワークへのアクセス要求を行い、前記ネットワークに接続され、前記ネットワークにアクセスするための窓口となるＩＳＰ網との間に前記基地局が生成したデータパスを使用して前記ＩＳＰ網経由で前記ネットワークにアクセスする移動端末が行うサービス要求方法であって、
前記家庭内ネットワークへのアクセス要求時に、前記基地局を介して前記ＩＳＰ網を経由せずに前記家庭内ネットワークにアクセスするＨｏｍｅ  ＮＷ連携サービスの提供を希望するか否かの情報を、前記基地局を介して前記ＩＳＰ網内に設置された接続制御手段に送信する第１要求ステップを有する。【００２９】
上記目的を達成するために本発明のプログラムは、
家庭内ネットワークを含むネットワークに接続され、移動端末が前記ネットワークにアクセスするための窓口となるＩＳＰ網内に設置された認証装置に、
家庭内ネットワーク内に設置された基地局から送信された、該基地局と該基地局に前記家庭内ネットワークへのアクセス要求を行った前記移動端末とに関する情報が前記ＩＳＰ網内に設置された接続制御手段にて受信されると、該情報に基づいて、前記基地局を介して前記ＩＳＰ網を経由せずに前記家庭内ネットワークにアクセスするＨｏｍｅ  ＮＷ連携サービスを前記移動端末に提供可能か否かを判定し、可能な場合その旨を前記接続制御手段に通知する手順を実行させる。【００３０】
上記目的を達成するために本発明のプログラムは、
家庭内ネットワークを含むネットワークに接続され、移動端末が前記ネットワークにアクセスするための窓口となるＩＳＰ網内に設置された接続制御装置に、
前記家庭内ネットワーク内に設置された基地局から送信された、該基地局と該基地局に前記家庭内ネットワークへのアクセス要求を行った前記移動端末とに関する情報を受信し、前記ＩＳＰ網内に設置された認証手段から、前記基地局を介して前記ＩＳＰ網を経由せずに前記家庭内ネットワークにアクセスするＨｏｍｅ  ＮＷ連携サービスの前記移動端末への提供が可能な旨の通知を受信した場合に、前記Ｈｏｍｅ  ＮＷ連携サービス提供用のデータパスの生成を前記基地局に要請する第１要請手順を実行させる。【００３１】
上記目的を達成するために本発明のプログラムは、
家庭内ネットワーク内に設置され、移動端末からの前記家庭内ネットワークを含むネットワークへのアクセス要求を受け付け、前記ネットワークに接続され、前記移動端末が前記ネットワークにアクセスするための窓口となるＩＳＰ網との間に前記移動端末が該ＩＳＰ経由で前記ネットワークにアクセスするために使用するデータパスを生成する基地局に、
前記移動端末から前記家庭内ネットワークへのアクセス要求を受け付けた場合、当該基地局と前記移動端末に関する情報を前記ＩＳＰ内に設置された接続制御手段に送信し、該接続制御手段から、前記ＩＳＰ網を経由せずに前記家庭内ネットワークにアクセスするＨｏｍｅ  ＮＷ連携サービス提供用のデータパスの生成を要請された場合に、該データパスを生成する生成手順を実行させる。【００３２】
上記目的を達成するために本発明のプログラムは、
家庭内ネットワーク内に設置された基地局に対して前記家庭内ネットワークを含むネットワークへのアクセス要求を行い、前記ネットワークに接続され、前記ネットワークにアクセスするための窓口となるＩＳＰ網との間に前記基地局が生成したデータパスを使用して前記ＩＳＰ網経由で前記ネットワークにアクセスする移動端末に、
前記家庭内ネットワークへのアクセス要求時に、前記基地局を介して前記ＩＳＰ網を経由せずに前記家庭内ネットワークにアクセスするＨｏｍｅ  ＮＷ連携サービスの提供を希望するか否かの情報を、前記基地局を介して前記ＩＳＰ網内に設置された接続制御手段に送信する第１要求手順を実行させる。
【図面の簡単な説明】
【００３３】
【図１】一般的な通信システムの構成例を示すブロック図である。
【図２】図１に示した通信システムの動作の一例を説明するフローチャートである。
【図３】本発明の第１の実施形態の通信システムの構成を示すブロック図である。
【図４】図３に示した通信システムの動作の一例を説明するフローチャートである。
【図５】本発明の第２の実施形態の動作の一例を説明するフローチャートである。
【図６】本発明の第２の実施形態の動作の他の例を説明するフローチャートである。
【図７】本発明の第２の実施形態の動作の他の例を説明するフローチャートである。
【図８】本発明の実施例１の通信システムの構成を示すブロック図である。
【図９】図８に示した通信システムの動作の一例を説明するフローチャートである。
【図１０】本発明の実施例２の通信システムの構成を示すブロック図である。
【図１１】図１０に示した通信システムの動作の一例を説明するフローチャートである。
【図１２】本発明の実施例３の通信システムの動作の一例を説明するフローチャートである。
【図１３】本発明の実施例３の通信システムの動作の他の例を説明するフローチャートである。
【図１４】本発明の実施例４の通信システムの動作の一例を説明するフローチャートである。
【図１５】本発明の実施例４の通信システムの動作の他の例を説明するフローチャートである。
【発明を実施するための形態】
【００３４】
本発明を実施するための形態について図面を参照して詳細に説明する。
【００３５】
（第１の実施形態）
図３は、本発明の第１の実施形態の通信システムの構成を示すブロック図である。
【００３６】
図３に示すように、本実施形態の通信システムは、ＩＳＰ網である移動端末向けＩＳＰ網１０１、Ｈｏｍｅ  ＧＷ向けＩＳＰ網１０２、アクセス網１０３、および家庭内ＮＷ１０４で構成されている。
【００３７】
本実施形態の通信システムは、移動端末に対して、移動端末向けＩＳＰ網１０１を経由してネットワークにアクセスするサービスに加え、移動端末向けＩＳＰ網１０１を経由せずに家庭内ＮＷ１０４にアクセスするＨｏｍｅ  ＮＷ連携サービスを提供することが出来る。
【００３８】
移動端末向けＩＳＰ網１０１は、ＡＡＡ（Ａｕｔｈｅｎｔｉｃａｔｉｏｎ，  Ａｕｔｈｏｒｉｚａｔｉｏｎ  ａｎｄ  Ａｃｃｏｕｎｔｉｎｇ）サーバ１１、モバイルアンカー装置１２、第１アクセスＧＷ（Ｃ−ｐｌａｎｅ）１３、および第２アクセスＧＷ（Ｕ−ｐｌａｎｅ）１４を有している。
【００３９】
なお、ＡＡＡサーバ１１は、認証手段の一例であり、第１アクセスゲートウェイは、接続制御手段の一例である。
【００４０】
ＡＡＡサーバ１１は、移動端末のアクセス認証を行うサーバで、移動端末へのＨｏｍｅ  ＮＷ連携サービス提供が可能か否かの判定も行う。
【００４１】
モバイルアンカー装置１２は、不図示のネットワークと接続しており、移動端末が移動端末向けＩＳＰ網１０１を経由してネットワークにアクセスする際にネットワークとの間の窓口となる。モバイルアンカー装置１２は、不図示のネットワーク上のサーバや端末から移動端末に払い出されたＩＰパケットを移動端末に転送する。
【００４２】
第１アクセスＧＷ（Ｃ−ｐｌａｎｅ）１３は、移動端末や後述するＦｅｍｔｏ  Ｃｅｌｌ用アクセス装置の制御を行う。第１アクセスＧＷ１３は、移動端末のアクセス認証時にＡＡＡサーバ１１に移動端末へのＨｏｍｅ  ＮＷ連携サービス提供が可能か否かを問い合わせる。また、第１アクセスＧＷ１３は、移動端末へのＨｏｍｅ  ＮＷ連携サービス提供が許可された場合、Ｆｅｍｔｏ  Ｃｅｌｌ用アクセス装置に、移動端末との間のデータパスの生成を指示するデータパス生成要請を送信する。
【００４３】
第２アクセスＧＷ（Ｕ−ｐｌａｎｅ）１４は、後述するＦｅｍｔｏ  Ｃｅｌｌ用アクセス装置およびモバイルアンカー装置１２との間に移動端末向けのデータパスを構築する。また、第２アクセスＧＷ１４は、移動端末向けＩＳＰ網１０１内のサーバや装置から移動端末に払い出されたＩＰパケットを移動端末に転送する。
【００４４】
なお、図３に示すように、ここでは、モバイルアンカー装置１２、第１アクセスＧＷ１３、および第２アクセスＧＷ１４は、別々のエンティティとして記載されているが、１つの装置にマージすることも可能である。
【００４５】
Ｈｏｍｅ  ＧＷ向けＩＳＰ網１０２は、ルータ２１を有している。
【００４６】
ルータ２１は、後述するＨｏｍｅ  ＧＷに割り当てたＩＰアドレスまたはＨｏｍｅ  ＧＷのプリフィクス宛のＩＰパケットや、Ｈｏｍｅ  ＧＷに割り当てたＩＰアドレスまたはＨｏｍｅ  ＧＷのプリフィクスを送信元アドレスに持つＩＰパケットのＩＰルーティングを行う。
【００４７】
アクセス網１０３は、ＢＡＳ３１を有している。
【００４８】
ＢＡＳ３１は、ルータ機能を持ち、移動端末からのアタッチ要求時のアクセス認証や、Ｈｏｍｅ  ＧＷ向けＩＳＰ網１０２への接続を行なう。
【００４９】
家庭内ＮＷ１０４は、移動端末４１、Ｆｅｍｔｏ  Ｃｅｌｌ用アクセス装置４２、Ｈｏｍｅ  ＧＷ４３、および固定端末４４を有している。
【００５０】
移動端末４１は、Ｆｅｍｔｏ  Ｃｅｌｌ用アクセス装置４２が生成したデータパスを使用して、Ｆｅｍｔｏ  Ｃｅｌｌ用アクセス装置４２を介して通信を行う端末である。
【００５１】
Ｆｅｍｔｏ  Ｃｅｌｌ用アクセス装置４２は、Ｈｏｍｅ  ＧＷ４３、ＢＡＳ３１、ルータ２１を介して、移動端末向けＩＳＰ網１０４に接続する。Ｆｅｍｔｏ  Ｃｅｌｌ用アクセス装置４２は、移動端末４１のアクセス開始時に、自身がＨｏｍｅ  ＮＷ連携機能を具備し、Ｈｏｍｅ  ＮＷ連携サービスを提供可能であることを示す情報要素である連携可能情報を含めたアタッチトリガを、第１アクセスＧＷ１３に送信する。また、Ｆｅｍｔｏ  Ｃｅｌｌ用アクセス装置４２は、第１アクセスＧＷ１３から、移動端末４１との間のデータパス生成要請を受信すると移動端末４１とＦｅｍｔｏ  Ｃｅｌｌ用アクセス装置４２との間のデータパスを生成する。
【００５２】
Ｈｏｍｅ  ＧＷ４３は、家庭内ＮＷ１０４内の端末が外部のＮＷと通信する際のゲートウェイ装置である。また、家庭内ＮＷ１０４内の端末向けにＩＰアドレスを割り当てる機能やＤＮＳ（Ｄｏｍａｉｎ  Ｎａｍｅ  Ｓｙｓｔｅｍ）サーバとしての機能も具備する。
【００５３】
固定端末４４は、Ｈｏｍｅ  ＧＷ４３から払い出されたＩＰアドレスを使用して通信を行う端末である。
【００５４】
次に、本実施形態の全体の動作について詳細に説明する。
【００５５】
図４は、図１に示した通信システムの動作の一例を説明するフローチャートである。
【００５６】
図４を参照すると、まず、移動端末４１が、家庭内ＮＷ１０４にアクセスするためにＦｅｍｔｏ  Ｃｅｌｌ用アクセス装置４２にアクセスを開始すると、Ｆｅｍｔｏ  Ｃｅｌｌ用アクセス装置４２は移動端末４１のアタッチ要求を検知する（ステップ１０）。ここで述べているアタッチ要求は、移動端末４１が明示的にアタッチ要求を送信しても良いし、移動端末４１とＦｅｍｔｏ  Ｃｅｌｌ用アクセス装置４２との間のリンクの確立、またはＣａｐａｂｉｌｉｔｙ  Ｎｅｇｏｔｉａｔｉｏｎの確立を契機としても良い。
【００５７】
Ｆｅｍｔｏ  Ｃｅｌｌ用アクセス装置４２は、移動端末４１のアタッチ要求を検知すると、連携可能情報を含めたアタッチトリガを第１アクセスＧＷ１３に送信する（ステップ１１）。なお、アタッチトリガには、移動端末４１とＦｅｍｔｏ  Ｃｅｌｌ用アクセス装置４２に関する情報、例えば、装置の識別子等が含まれているものとする。
【００５８】
第１アクセスＧＷ１３は、アタッチトリガを受信すると、移動端末４１のアクセス認証を開始する（ステップ１２）。第１アクセスＧＷ１３は、アタッチトリガに含まれる連携可能情報から、Ｆｅｍｔｏ  Ｃｅｌｌ用アクセス装置４２がＨｏｍｅ  ＮＷ連携機能を具備していることを検知すると、アクセス認証中にＡＡＡサーバ１１に移動端末４１へのＨｏｍｅ  ＮＷ連携サービス提供の可否判定を依頼するために、認証メッセージを送信する。なお、認証メッセージには、アタッチトリガに含まれていた移動端末４１とＦｅｍｔｏ  Ｃｅｌｌ用アクセス装置４２に関する情報等が含まれている。
【００５９】
ＡＡＡサーバ１１は、認証メッセージを受信すると、認証メッセージに含まれる移動端末４１とＦｅｍｔｏ  Ｃｅｌｌ用アクセス装置４２に関する情報に基づいて、移動端末４１へのＨｏｍｅ  ＮＷ連携サービス提供の可否判定を行う。ここでの可否判定方法としては、移動端末４１を使って通信サービスを享受するユーザとＦｅｍｔｏ  Ｃｅｌｌ用アクセス装置４２の所有者との関係を使用する方法が挙げられ、例えば、ユーザと所有者が同一人物、もしくは家族関係にある場合には提供を許可するなどの可否判定方法が考えられる。他には、ユーザがＦｅｍｔｏ  Ｃｅｌｌ用アクセス装置４２を使って通信サービスを享受できる契約を行っているか否かに基づいて可否判定を行っても良い。
【００６０】
ＡＡＡサーバ１１は、移動端末４１へのＨｏｍｅ  ＮＷ連携サービスが提供可能であれば、アクセス認証中に、その旨を第１アクセスＧＷ機能１３に通知する。なお、ＡＡＡサーバ１１は、第１アクセスＧＷ１３から受信した認証メッセージの中にサービス提供の可否判定依頼がなくても、移動端末４４へのＨｏｍｅ  ＮＷ連携サービスが提供可能であれば、アクセス認証中に、その旨を第１アクセスＧＷ１３に通知しても良い。
【００６１】
第１アクセスＧＷ１３は、ＡＡＡサーバ１１から移動端末４１へのＨｏｍｅ  ＷＮ連携サービスが提供可能である旨の通知を受信し、Ｆｅｍｔｏ  Ｃｅｌｌ用アクセス装置４２にＨｏｍｅ  ＮＷ連携サービス提供用のデータパス生成を指示する情報を含んだデータパス生成要請を送信する（ステップ１３）。
【００６２】
Ｆｅｍｔｏ  Ｃｅｌｌ用アクセス装置４２は、データパス生成要請を受信すると、移動端末４１とＦｅｍｔｏ  Ｃｅｌｌ用アクセス装置４２と間にＨｏｍｅ  ＮＷ連携サービス提供用のデータパスを生成する（ステップ１５）。なお、Ｆｅｍｔｏ  Ｃｅｌｌ用アクセス装置４２がＨｏｍｅ  ＧＷ４３から移動端末４１用のＩＰアドレスを事前に取得可能であるならば、Ｆｅｍｔｏ  Ｃｅｌｌ用アクセス装置４２は移動端末４１様のＩＰアドレスを事前に取得しておき（ステップ１４）、移動端末４１とＦｅｍｔｏ  Ｃｅｌｌ用アクセス装置４２との間のデータパスの生成時に移動端末４１にそのＩＰアドレスを通知する。
【００６３】
また、Ｆｅｍｔｏ  Ｃｅｌｌ用アクセス装置４２は、移動端末４１とＦｅｍｔｏ  Ｃｅｌｌ用アクセス装置４２との間のデータパス生成が完了すると、データパス生成完了を示すデータパス生成応答を第１アクセスＧＷ１３に通知する（ステップ１６）。なお、移動端末４１とＦｅｍｔｏ  Ｃｅｌｌ用アクセス装置４２との間のデータパス生成中に移動端末４１がＩＰアドレスを取得していない場合には、移動端末４１はデータパス生成後にＨｏｍｅ  ＧＷ４３からＩＰアドレスを取得する（ステップ１７）。
【００６４】
その後、移動端末４１は、Ｈｏｍｅ  ＧＷ４３から取得したＩＰアドレスを使用し、移動端末向けＩＳＰ網１０１を経由することなく、家庭ＮＷ１０４内の固定端末４４と通信することが出来る。
【００６５】
次に、本実施の形態の効果について説明する。
【００６６】
上述したように本実施形態の通信システムにおいては、Ｆｅｍｔｏ  Ｃｅｌｌ用アクセス装置４２にて移動端末４１からのアクセス要求が受け付けられると、ＡＡＡサーバ１１は、移動端末４１へのＨｏｍｅ  ＮＷ連携サービスの提供が可能か否かを判定し、提供可能な場合、その旨を第１アクセスゲートウェイ１３に通知し、第１アクセスゲートウェイ１３は、その通知に基づいてＦｅｍｔｏ  Ｃｅｌｌ用アクセス装置４２に対してＨｏｍｅ  ＮＷ連携サービス提供用のデータパスの生成を要請し、Ｆｅｍｔｏ  Ｃｅｌｌ用アクセス装置４２はＨｏｍｅ  ＮＷ連携サービス提供用のデータパスを生成する。
【００６７】
この様に、移動端末向けＩＳＰ網１０１内の装置により移動端末４１へのＨｏｍｅ  ＮＷ連携サービスの提供の可否判定を実施でき、また、サービス提供可能な場合、移動端末向けＩＳＰ網１０１を経由しないで家庭内ＮＷ１０４にアクセスするためのデータパスをＦｅｍｔｏ  Ｃｅｌｌ用アクセス装置４２に生成させるため、移動端末４１と家庭内ＮＷ１０４内のノードとの間の通信を効率的なデータパスで行うことが出来る。
【００６８】
（第２の実施形態）
本発明の第２の実施形態の通信システムは、図３に示した第１の実施形態の通信システムと同様の構成であるが、第１の実施形態と比較して、移動端末４１が、Ｈｏｍｅ  ＮＷ連携サービスを希望するか否かを明示する点と、Ｆｅｍｔｏ  Ｃｅｌｌ用アクセス装置４２が、連携可能情報を移動端末４１に広告する点で動作が異なる。
【００６９】
本実施形態の全体の動作について詳細に説明する。
【００７０】
図５は、本発明の第２の実施形態の動作の一例を説明するフローチャートである。なお、図４に示した第１の実施形態の通信システムの動作と異なる点は、Ｆｅｍｔｏ  Ｃｅｌｌ用アクセス装置４２が、明示的に連携可能情報を移動端末４１に広告する点と、移動端末４１が、Ｈｏｍｅ  ＮＷ連携サービスを希望するか否かを示す連携希望情報を付加したアタッチ要求をＦｅｍｔｏ  Ｃｅｌｌ用アクセス装置４２に送信する点の２点である。
【００７１】
図５を参照すると、まず、Ｆｅｍｔｏ  Ｃｅｌｌ用アクセス装置４２は、連携可能情報を含むＨｏｍｅ  ＮＷ連携機能具備通知をブロードキャストで移動端末４１を含むセル内の全ての端末に広告する（ステップ２０）。
【００７２】
次に、移動端末４１は、Ｆｅｍｔｏ  Ｃｅｌｌ用アクセス装置４２へアクセスを開始するために、Ｆｅｍｔｏ  Ｃｅｌｌ用アクセス装置４２にアタッチ要求を送信する（ステップ２１）。ここでは、移動端末４１は、Ｈｏｍｅ  ＮＷ連携サービスを希望するものとし、移動端末４１は、アタッチ要求にＨｏｍｅ  ＮＷ連携サービスを希望する旨の連携希望情報を付加する。なお、事前にＦｅｍｔｏ  Ｃｅｌｌ用アクセス装置４２がＨｏｍｅ  ＮＷ連携機能具備通知を広告しているため、移動端末４１は、Ｆｅｍｔｏ  Ｃｅｌｌ用アクセス装置４２がＨｏｍｅ  ＮＷ連携機能を具備することを検知した場合にのみ、アタッチ要求に連携希望情報を付加するようにしても良い。また、ここでは移動端末４１が連携希望情報を付加するメッセージをアタッチ要求としているが、アタッチ要求に限定するものではなく、アクセス認証メッセージがＡＡＡサーバ１１に届く前にＦｅｍｔｏ  Ｃｅｌｌ用アクセス装置４２に送信されるメッセージであれば良い。
【００７３】
Ｆｅｍｔｏ  Ｃｅｌｌ用アクセス装置４２は、移動端末４１からアタッチ要求を受信すると、アタッチ要求に含まれる連携希望情報と連携可能情報を含めたアタッチトリガを第１アクセスＧＷ１３に送信する（ステップ２２）。
【００７４】
第１アクセスＧＷ１３は、アタッチトリガを受信すると、移動端末４１のアクセス認証を開始する（ステップ２３）。また、第１アクセスＧＷ１３は、アタッチトリガに含まれる連携可能情報から、Ｆｅｍｔｏ  Ｃｅｌｌ用アクセス装置４２がＨｏｍｅ  ＮＷ連携可能な機能を具備していることを検知すると、アクセス認証中にＡＡＡサーバ１１に移動端末４１へのＨｏｍｅ  ＮＷ連携サービス提供の可否判定を依頼するため、認証メッセージを送信する。
【００７５】
次に、ＡＡＡサーバ１１は、認証メッセージに含まれる移動端末４１とＦｅｍｔｏ  Ｃｅｌｌ用アクセス装置４２に関する情報等から、Ｈｏｍｅ  ＮＷ連携サービス提供の可否判定を行う。なお、ここでの可否判定方法は第１の実施形態と同様のため説明を割愛する。ＡＡＡサーバ１１は、Ｈｏｍｅ  ＮＷ連携サービスが提供可能であれば、アクセス認証中に、その旨を第１アクセスＧＷ１３に通知する。
【００７６】
次に、第１アクセスＧＷ１３は、ＡＡＡサーバ機能１１からＨｏｍｅ  ＮＷ連携サービス提供が可能である旨の通知を受け、移動端末４１がＨｏｍｅ  ＮＷ連携サービスを希望していることを考慮し、Ｆｅｍｔｏ  Ｃｅｌｌ用アクセス装置４２にＨｏｍｅ  ＮＷ連携サービス提供用のデータパス生成を指示する情報を含んだデータパス生成要請を送信する（ステップ２４）。
【００７７】
以降の処理（ステップ２５〜２８）は、図４に示した第１の実施形態の処理（ステップ１４〜１７）と同様であるため説明を割愛する。
【００７８】
続いて、本実施形態おいて、移動端末４１がＦｅｍｔｏ  Ｃｅｌｌ用アクセス装置４２へのアクセス開始時に、Ｈｏｍｅ  ＮＷ連携サービスを希望しない旨の連携希望情報を付加したアタッチ要求をＦｅｍｔｏ  Ｃｅｌｌ用アクセス装置４２に送信する場合の動作について説明する。
【００７９】
図６は、本発明の第２の実施形態の動作の他の例を説明するフローチャートである。
【００８０】
図６を参照すると、まず、Ｆｅｍｔｏ  Ｃｅｌｌ用アクセス装置４２は、連携可能情報を含むＨｏｍｅ  ＮＷ連携機能具備通知をブロードキャストで移動端末４１を含むセル内の全ての端末に広告する（ステップ３０）。
【００８１】
次に、移動端末４１は、Ｆｅｍｔｏ  Ｃｅｌｌ用アクセス装置４２へアクセスを開始するために、Ｆｅｍｔｏ  Ｃｅｌｌ用アクセス装置４２にアタッチ要求を送信する（ステップ３１）。ここでは、移動端末４１はＨｏｍｅ  ＮＷ連携サービスを希望しないため、アタッチ要求にＨｏｍｅ  ＮＷ連携サービスを希望しない旨の連携希望情報を付加する。
【００８２】
Ｆｅｍｔｏ  Ｃｅｌｌ用アクセス装置４２は、移動端末４１からアタッチ要求を受信すると、アタッチ要求に含まれる連携希望情報と連携可能情報を含めたアタッチトリガを第１アクセスＧＷ１３に送信する（ステップ３２）。
【００８３】
第１アクセスＧＷ１３は、アタッチトリガを受信すると、移動端末４１のアクセス認証を開始する（ステップ３３）。第１アクセスＧＷ１３はアタッチトリガに含まれる連携可能情報から、Ｆｅｍｔｏ  Ｃｅｌｌ用アクセス装置４２がＨｏｍｅ  ＮＷ連携機能を具備していることを検知すると、アクセス認証中に、ＡＡＡサーバ１１に移動端末４１へのＨｏｍｅ  ＮＷ連携サービス提供の可否判定を依頼するために、認証メッセージを送信する。
【００８４】
次に、ＡＡＡサーバ１１は、認証メッセージに含まれる移動端末４１とＦｅｍｔｏ  Ｃｅｌｌ用アクセス装置４２に関する情報等から、Ｈｏｍｅ  ＮＷ連携サービス提供の可否判定を行う。ＡＡＡサーバ１１は、Ｈｏｍｅ  ＮＷ連携サービスが提供可能であれば、アクセス認証中に、その旨を第１アクセスＧＷ１３に通知する。
【００８５】
次に、第１アクセスＧＷ１３は、ＡＡＡサーバ機能１１からＨｏｍｅ  ＮＷ連携サービス提供が可能である旨の通知を受け、移動端末４１がＨｏｍｅ  ＮＷ連携サービスを希望していないことを考慮し、第２アクセスＧＷ１４とモバイルアンカー装置１２との間にデータパスを作成するために、第２アクセスＧＷ１４にデータパス生成要請を送信する（ステップ３４）。これを受け、第２アクセスＧＷ１４は、第２アクセスＧＷ１４とモバイルアンカー装置１２との間にデータパスを生成し（ステップ３５）、生成完了後、データパス生成応答を第１アクセスＧＷ１３に送信する（ステップ３６）。
【００８６】
また、第１アクセスＧＷ１３は、第２アクセスＧＷ１４と移動端末４１との間にデータパスを作成するために、Ｆｅｍｔｏ  Ｃｅｌｌ用アクセス装置４２に移動端末４１との間のデータパス生成要請を送信する（ステップ３７）。これを受け、Ｆｅｍｔｏ  Ｃｅｌｌ用アクセス装置４２は、移動端末４１とＦｅｍｔｏ  Ｃｅｌｌ用アクセス装置４２との間にデータパスを生成し（ステップ３８）、生成完了後、データパス生成応答を返信する（ステップ３９）。これにより、第２アクセスＧＷ１４と移動端末４１との間のデータパス、つまり移動端末向けＩＳＰ網１０１と移動端末４１との間のデータパスが生成されたことになる。
【００８７】
以降、移動端末４１は、移動端末向けＩＳＰ網１０１との間のデータパスを介して、不図示のネットワーク上のサーバや端末と通信を行う。
【００８８】
続いて、本実施形態において、図６のフローチャートで示した動作の後、移動端末４１が、Ｆｅｍｔｏ  Ｃｅｌｌ用アクセス装置４２に対してＨｏｍｅ  ＮＷ連携サービスにて家庭内ＮＷ１０４にアクセス可能な新規のデータパスとなる新規ベアラの生成を要求する場合の動作について説明する。
【００８９】
図７は、本発明の第２の実施形態通信システムの動作の他の例を説明するフローチャートである。なお、図７においては、初期状態として、移動端末４１がＨｏｍｅ  ＮＷ連携サービスを希望せずにアクセス要求を行い、移動端末向けＩＳＰ網１０４との間にデータパスが確立されているものとする。また、これにともない、第１アクセスＧＷ１３は、移動端末４１のアクセス認証時に、ＡＡＡサーバ機能１１から移動端末４１へＨｏｍｅ  ＮＷ連携サービス提供許可が通知されているものとする。
【００９０】
図７を参照すると、まず、移動端末４１は、Ｈｏｍｅ  ＮＷ連携サービスを希望する旨の連係希望情報を付加したベアラ生成要求をＦｅｍｔｏ  Ｃｅｌｌ用アクセス装置４２に送信する（ステップ４０）。
【００９１】
Ｆｅｍｔｏ  Ｃｅｌｌ用アクセス装置４２は、ベアラ生成要求を受信すると、第１アクセスＧＷ１３に転送する（ステップ４１）。なお、Ｆｅｍｔｏ  Ｃｅｌｌ用アクセス装置４２は、ベアラ生成要求を転送する際に、ベアラ生成要求に連携可能情報を付加しても良い。
【００９２】
次に、第１アクセスＧＷ１３は、ベアラ生成要求を解析することで移動端末４１がＨｏｍｅ  ＮＷ連携サービスを提供可能な新規ベアラの生成を要求しているか否かを判定し、ベアラの生成を要求している場合、ＡＡＡサーバ１１から移動端末４１へＨｏｍｅ  ＮＷ連携サービス提供の許可が出ているか否か確認する。
【００９３】
ここでは、ＡＡＡサーバ機能１１からサービス提供の許可が出ているので、第１アクセスＧＷ１３は、Ｈｏｍｅ  ＮＷ連携サービス提供用のデータパス生成を指示する情報を含んだデータパス生成要請をＦｅｍｔｏ  Ｃｅｌｌ用アクセス装置４２に送信する（ステップ４３）。
【００９４】
以降の処理（ステップ４３〜４６）は、図４に示した第１の実施形態の処理（ステップ１４〜１７）と同様であるため説明を割愛する。
【００９５】
次に、本実施形態の効果について説明する。
【００９６】
上述したように、本実施形態においては、移動端末４１は、Ｆｅｍｔｏ  Ｃｅｌｌ用アクセス装置４２へのアクセス開始時、もしくは、新規ベアラの生成要求時に、Ｈｏｍｅ  ＮＷ連携サービスを希望するか否かを明示する。
【００９７】
そのため、Ｆｅｍｔｏ  Ｃｅｌｌ用アクセス装置４２および移動端末向けＩＳＰ網１０１において、移動端末４１の希望を反映したデータパスを生成することができる。
【００９８】
また、Ｆｅｍｔｏ  Ｃｅｌｌ用アクセス装置４２が移動端末４１を含むセル内の端末に対して連携可能情報を広告するため、移動端末４１は、連携可能情報に基づいて、Ｈｏｍｅ  ＮＷ連携サービスを希望するか否かを判定することが出来る。
【実施例】
【００９９】
以下に、具体的な実施例を用いて、本発明を実施するための最良の形態を説明する。【０１００】
（実施例１）
本発明の実施例１は、第１の実施形態を具体化したものである。【０１０１】
図８は、本発明の実施例１の通信システムの構成を示すブロック図である。【０１０２】
図８に示すように、本実施例の通信システムは、図３に示した第１の実施形態と同様に、移動端末向けＩＳＰ網１０１、Ｈｏｍｅ  ＧＷ向けＩＳＰ網１０２、アクセス網１０３、および家庭内ＮＷ１０４で構成されている。【０１０３】
なお、移動端末向けＩＳＰ網１０１においては、ＨＳＳ１１１はＡＡＡサーバ１１に相当し、ＰＤＮ−ＧＷ１１２はモバイルアンカー装置１２に相当し、ＭＭＥ１１３は第１アクセスＧＷに１３に相当し、Ｓｅｒｖｉｎｇ  ＧＷ１１４は第２アクセスＧＷ１４に相当し、Ｈｏｍｅ  ＧＷ向けＩＳＰ網１０２においては、ルータ１２１はルータ２１に相当し、アクセス網１０３においては、ＢＡＳ１３１はＢＡＳ３１に相当し、家庭内ＮＷ１０４においては、移動端末１４１は移動端末４１に相当し、Ｆｅｍｔｏ  Ｃｅｌｌ用基地局１４２はＦｅｍｔｏ  Ｃｅｌｌ用アクセス装置４２に相当し、Ｈｏｍｅ  ＧＷ１４３はＨｏｍｅ  ＧＷ４３に相当し、固定端末１４４は固定端末４４に相当する。【０１０４】
次に、本実施例の通信システムの全体の動作について詳細に説明する。【０１０５】
図９は、図８に示した通信システムの動作の一例を説明するフローチャートである。【０１０６】
図９を参照すると、まず、移動端末１４２がＦｅｍｔｏ  Ｃｅｌｌ用基地局１４２へのアクセスを開始するために、アタッチ要求としてＡｔｔａｃｈ  ＲｅｑｕｅｓｔをＦｅｍｔｏ  Ｃｅｌｌ用基地局１４２に送信する（ステップ１００）。【０１０７】
Ｆｅｍｔｏ  Ｃｅｌｌ用基地局１４２は、移動端末１４１からＡｔｔａｃｈ  Ｒｅｑｕｅｓｔを受信すると、アタッチトリガとして連携可能情報を含めたＡｔｔａｃｈ  ＲｅｑｕｅｓｔをＭＭＥ１１３に送信する（ステップ１０１）。【０１０８】
ＭＭＥ１１３はＡｔｔａｃｈ  Ｒｅｑｕｅｓｔを受信すると、移動端末１４１のアクセス認証を開始する（ステップ１０２）。また、ＭＭＥ１１３は、Ａｔｔａｃｈ  Ｒｅｑｕｅｓｔから、Ｆｅｍｔｏ  Ｃｅｌｌ用基地局１４２がＨｏｍｅ  ＮＷ連携機能を具備していることを検知すると、アクセス認証中に、ＨＳＳ１１１に移動端末１４１へのＨｏｍｅ  ＮＷ連携サービス提供の可否判定を依頼するために、認証メッセージを送信する。【０１０９】
次に、ＨＳＳ１１１は、認証メッセージに含まれる移動端末１４１とＦｅｍｔｏ  Ｃｅｌｌ用基地局１４２に関する情報等から、Ｈｏｍｅ  ＮＷ連携サービス提供の可否判定を行う。ＨＳＳ１１１は、Ｈｏｍｅ  ＮＷ連携サービスが提供可能であれば、アクセス認証中に、その旨をＭＭＥ１１３に通知する。【０１１０】
次に、ＭＭＥ１１３は、ＨＳＳ１１１からＨｏｍｅ  ＮＷ連携サービス提供が可能である旨の通知を受け、Ｆｅｍｔｏ  Ｃｅｌｌ用基地局１４２に、データパス生成要請としてＨｏｍｅ  ＮＷ連携サービス提供用のデータパス生成を指示する情報を含んだＡｔｔａｃｈ  Ａｃｃｅｐｔを送信する（ステップ１０３）。【０１１１】
Ｆｅｍｔｏ  Ｃｅｌｌ用基地局１４２は、Ａｔｔａｃｈ  Ａｃｃｅｐｔを受信すると、移動端末１４１にＨｏｍｅ  ＮＷ連携サービス提供用のＩＰアドレスを提供するために、Ｈｏｍｅ  ＧＷ１４３から移動端末１４１用のＩＰアドレスを取得する（ステップ１０４）。もし、Ｆｅｍｔｏ  Ｃｅｌｌ用基地局１４２が事前に移動端末１４１用のＩＰアドレスを知っている場合には、本フェーズはスキップされる。【０１１２】
次に、Ｆｅｍｔｏ  Ｃｅｌｌ用基地局１４２は、ＲＲＣ  Ｃｏｎｎｅｃｔｉｏｎ  Ｒｅｃｏｎｆｉｇｕｒａｔｉｏｎ／ＲＲＣ  Ｃｏｎｎｅｃｔｉｏｎ  Ｒｅｃｏｎｆｉｇｕｒａｔｉｏｎ  Ｃｏｍｐｌｅｔｅを移動端末１４１と交換し（ステップ１０５，１０６）、移動端末１４１とＦｅｍｔｏ  Ｃｅｌｌ用基地局１４２との間のデータパスを生成する。また、Ｆｅｍｔｏ  Ｃｅｌｌ用基地局１４２は、移動端末１４１とＦｅｍｔｏ  Ｃｅｌｌ用基地局１４２との間のデータパスを生成する過程で、移動端末１４１にＩＰアドレスを通知する。【０１１３】
Ｆｅｍｔｏ  Ｃｅｌｌ用基地局１４２は、移動端末１４１とＦｅｍｔｏ  Ｃｅｌｌ用基地局１４２との間のデータパス生成が完了すると、データパス生成応答としてＡｔｔａｃｈ  ＣｏｍｐｌｅｔｅをＭＭＥ１１３に送信する（ステップ１０７）。【０１１４】
以降、移動端末１４１は、生成されたデータパスを使用して、移動端末向けＩＳＰ網１０１を経由することなく家庭内ＮＷ１０４にアクセスし、固定端末１４４と通信を行う。【０１１５】
（実施例２）
本発明の実施例２も第１の実施形態を具体化したものである。【０１１６】
図１０は、本発明の実施例２の通信システムの構成を示すブロック図である。【０１１７】
図１０に示すように、本実施例の通信システムは、図３に示した第１の実施形態と同様に、移動端末向けＩＳＰ網１０１、Ｈｏｍｅ  ＧＷ向けＩＳＰ網１０２、アクセス網１０３、および家庭内ＮＷ１０４で構成されている。【０１１８】
なお、移動端末向けＩＳＰ網１０１においては、ＡＡＡサーバ２１１はＡＡＡサーバ１１に相当し、ＨＡ（Ｈｏｍｅ  Ａｇｅｎｔ）２１２はモバイルアンカー装置１２に相当し、ＡＳＮ（Ａｃｃｅｓｓ  Ｓｅｒｖｉｃｅ  Ｎｅｔｗｏｒｋ）−ＧＷ２１３は第１アクセスＧＷ１３及び第２アクセスＧＷ１４に相当する。他の構成要素については実施例１と同様のため説明を割愛する。【０１１９】
本実施例の通信システムの全体の動作の詳細について説明する。【０１２０】
図１１は、図１０に示した通信システムの動作の一例を説明するフローチャートである。【０１２１】
図１１を参照すると、まず、移動端末１４２は、Ｆｅｍｔｏ  Ｃｅｌｌ用基地局１４２へアクセスを開始し、Ｆｅｍｔｏ  Ｃｅｌｌ用基地局１４２との間でリンク確立後（ステップ２００）、ＳＢＣ（Ｓｕｂｓｃｒｉｂｅｒ  Ｓｔａｔｉｏｍ  Ｃａｐａｂｉｌｉｔｙ）  Ｎｅｇｏｔｉａｔｉｏｎを開始する（ステップ２０１）。【０１２２】
Ｆｅｍｔｏ  Ｃｅｌｌ用基地局１４２は、移動端末１４１とのＳＢＣ  Ｎｅｇｏｔｉａｔｉｏｎの過程で、アタッチトリガとして連携可能情報を含めたＭＳ＿ＰｒｅＡｔｔａｃｈｍｅｎｔ＿ＲｅｑをＡＳＮ−ＧＷ２１３に送信する（ステップ２０２）。【０１２３】
ＡＳＮ−ＧＷ２１３は、ＭＳ＿ＰｒｅＡｔｔａｃｈｍｅｎｔ＿Ｒｅｑを受信すると、Ｆｅｍｔｏ  Ｃｅｌｌ用基地局１４２がＨｏｍｅ  ＮＷ連携可能な機能を具備していることを記憶し、Ｆｅｍｔｏ  Ｃｅｌｌ用基地局１４２にＭＳ＿ＰｒｅＡｔｔａｃｈｍｅｎｔ＿Ｒｅｓを返信する。【０１２４】
Ｆｅｍｔｏ  Ｃｅｌｌ用基地局１４２は、ＳＢＣ  Ｎｅｇｏｔｉａｔｉｏｎが完了すると、ＭＳ＿ＰｒｅＡｔｔａｃｈｍｅｎｔ＿ＡｃｋをＡＳＮ−ＧＷ２１３に送信する（ステップ２０３）。【０１２５】
ＡＳＮ−ＧＷ２１３は、ＭＳ＿ＰｒｅＡｔｔａｃｈｍｅｎｔ＿Ａｃｋを受信すると、移動端末１４１のアクセス認証を開始するために、Ｆｅｍｔｏ  Ｃｅｌｌ用基地局１４２を介してＥＡＰ  Ｒｅｑｕｅｓｒ／Ｉｄｅｎｔｉｔｙを移動端末１４１に送信する（ステップ２０４）。【０１２６】
移動端末１４１は、ＥＡＰ  Ｒｅｑｕｅｓｒ／Ｉｄｅｎｔｉｔｙを受信すると、Ｆｅｍｔｏ  Ｃｅｌｌ用基地局１４２を介して、ＥＡＰ  Ｒｅｑｕｅｓｒ／Ｉｄｅｎｔｉｔｙ−ＮＡＩをＡＳＮ−ＧＷ２１３に返信する（ステップ２０５）。【０１２７】
ＡＳＮ−ＧＷ２１３は、ＥＡＰ  Ｒｅｑｕｅｓｒ／Ｉｄｅｎｔｉｔｙ−ＮＡＩを受信すると、移動端末１４１のアクセス認証を開始する（ステップ２０６）。また、ＡＳＮ−ＧＷ２１３はＭＳ＿ＰｒｅＡｔｔａｃｈｍｅｎｔ＿Ｒｅｑから、Ｆｅｍｔｏ  Ｃｅｌｌ用基地局１４２がＨｏｍｅ  ＮＷ連携機能を具備していることを検知しているので、アクセス認証中に移動端末１４１へのＨｏｍｅ  ＮＷ連携サービス提供の可否判定をＡＡＡサーバ２１１に依頼するために、認証メッセージを送信する。【０１２８】
次に、ＡＡＡサーバ２１１は、認証メッセージに含まれる移動端末１４１とＦｅｍｔｏ  Ｃｅｌｌ用基地局１４２に関する情報等から、Ｈｏｍｅ  ＮＷ連携サービス提供の可否判定を行う。ＡＡＡサーバ２１１は、Ｈｏｍｅ  ＮＷ連携サービスが提供可能であれば、アクセス認証中に、その旨をＡＳＮ−ＧＷ２１３に通知する。【０１２９】
ＡＳＮ−ＧＷ２１３は、アクセス認証が成功すると、移動端末１４１とＦｅｍｔｏ  Ｃｅｌｌ用基地局１４２との間でやり取りするデータの暗号化用のセキュリティ情報の共有やＭＡＣ（Ｍｅｄｉａ  Ａｃｃｅｓｓ  Ｃｏｎｔｒｏｌ）層の能力のネゴシエーション用のＲｅｇｉｓｔｒａｔｉｏｎ処理を実行する（ステップ２０７〜２０９）。【０１３０】
次に、ＡＳＮ−ＧＷ２１３は、ＡＡＡサーバ２１１からＨｏｍｅ  ＮＷ連携サービス提供が可能である旨の通を受けているので、データパス生成要請としてＨｏｍｅ  ＮＷ連携サービス提供用のデータパス生成を指示する情報を含んだＰａｔｈ＿Ｒｅｇ＿ＲｅｑをＦｅｍｔｏ  Ｃｅｌｌ用基地局１４２に送信する（ステップ２１０）。【０１３１】
Ｆｅｍｔｏ  Ｃｅｌｌ用基地局１４２は、Ｐａｔｈ＿Ｒｅｇ＿Ｒｅｑを受信すると、ＤＳＡ−ＲＥＱ／ＲＳＰを移動端末１４１と交換し（ステップ２１１）、移動端末１４１とＦｅｍｔｏ  Ｃｅｌｌ用基地局１４２との間のデータパスを生成する。【０１３２】
Ｆｅｍｔｏ  Ｃｅｌｌ用基地局１４２は、移動端末１４１とＦｅｍｔｏ  Ｃｅｌｌ用基地局１４２との間のデータパス生成が完了すると、データパス生成応答としてＰａｔｈ＿Ｒｅｇ＿ＲｓｐをＭＭＥ１１３に通知する（ステップ２１２）。【０１３３】
移動端末１４１は、移動端末１４１とＦｅｍｔｏ  Ｃｅｌｌ用基地局１４２間のデータパス生成が完了した後、ＩＰアドレスの取得処理を実行する（ステップ２１３）。具体的には、例えば、ＤＨＣＰによるＳｔａｔｅｆｕｌ  Ａｄｄｒｅｓｓ  ＣｏｎｆｉｇｕｒａｔｉｏｎやＳｔａｔｅｌｅｓｓ  Ａｕｔｏ  Ａｄｄｒｅｓｓ  Ｃｏｎｆｉｇｕｒａｔｉｏｎなどの処理のメッセージがＦｅｍｔｏ  Ｃｅｌｌ用基地局１４２からＨｏｍｅ  ＧＷ１４３に転送され、移動端末１４１は、Ｈｏｍｅ  ＧＷ１４３が払い出すＩＰアドレスを取得する。【０１３４】
以降、移動端末１４１は、生成されたデータパスを使用して、移動端末向けＩＳＰ網１０１を経由することなく家庭内ＮＷ１０４にアクセスし、固定端末１４４と通信を行う。【０１３５】
（実施例３）
本発明の実施例３は、第２の実施形態を具体化したものである。【０１３６】
本実施例の通信システムの構成は、図８に示した実施例１の通信システムの構成と同様であるが、実施例１と比較して、移動端末１４１が、Ｈｏｍｅ  ＮＷ連携サービスを希望するか否かを明示する点と、Ｆｅｍｔｏ  Ｃｅｌｌ用基地局１４２が、連携可能情報を移動端末１４１に広告する点で動作が異なる。【０１３７】
本実施例の通信システムの全体の動作の詳細について説明する。【０１３８】
最初に、本実施例において、移動端末１４１がＦｅｍｔｏ  Ｃｅｌｌ用基地局１４２を介して家庭内ＮＷ１０４にアクセスする動作について説明する。【０１３９】
図１２は、本発明の実施例３の通信システムの動作の一例を説明するフローチャートである。なお、図１２に示した本実施例の動作において、図９に示した実施例１の通信システムの動作と異なる点は、Ｆｅｍｔｏ  Ｃｅｌｌ用基地局１４２が、Ｓｙｓｔｅｍ  Ｉｎｆｏｒｍａｔｉｏｎを使用して明示的に連携可能情報を移動端末１４１に広告する点と、移動端末１４１が、Ｈｏｍｅ  ＮＷ連携サービスを希望するか否かを示す連携希望情報を付加したＡｔｔａｃｈ  ＲｅｑｕｅｓｔをＦｅｍｔｏ  Ｃｅｌｌ用基地局１４２に送信する点の２点である。【０１４０】
図１２を参照すると、まず、Ｆｅｍｔｏ  Ｃｅｌｌ用基地局１４２は、連携可能情報をＳｙｓｔｅｍ  Ｉｎｆｏｒｍａｔｉｏｎメッセージを使用して、ブロードキャストにて移動端末１４１を含むセル内の全ての端末に広告する（ステップ３００）。【０１４１】
次に、移動端末１４１は、Ｆｅｍｔｏ  Ｃｅｌｌ用基地局１４２へのアクセスを開始するために、Ｆｅｍｔｏ  Ｃｅｌｌ用基地局１４２にＡｔｔａｃｈ  Ｒｅｑｕｅｓｔを送信する（ステップ３０１）。この際、移動端末１４１は、Ｈｏｍｅ  ＮＷ連携サービスを希望するため、Ａｔｔａｃｈ  ＲｅｑｕｅｓｔのＡｔｔａｃｈ  Ｔｙｐｅを“Ｆｅｍｔｏ  Ａｃｃｅｓｓ”に設定する。【０１４２】
Ｆｅｍｔｏ  Ｃｅｌｌ用基地局１４２は、移動端末１４１からのＡｔｔａｃｈ  Ｒｅｑｕｅｓｔを受信すると、移動端末１４１から受信したＡｔｔａｃｈ  Ｒｅｑｕｅｓｔに連携可能情報を含めてＭＭＥ１１３に転送する（ステップ３０２）。【０１４３】
ＭＭＥ１１３は、Ａｔｔａｃｈ  Ｒｅｑｕｅｓｔを受信すると、移動端末１４１のアクセス認証を開始する（ステップ３０３）。また、ＭＭＥ１１３は、Ａｔｔａｃｈ  ＲｅｑｕｅｓｔからＦｅｍｔｏ  Ｃｅｌｌ用基地局１４２がＨｏｍｅ  ＮＷ連携機能を具備していることを検知すると、アクセス認証中に移動端末１４１へのＨｏｍｅ  ＮＷ連携サービス提供の可否判定をＨＳＳ１１１に依頼するために、認証メッセージを送信する。【０１４４】
次に、ＨＳＳ１１１は、認証メッセージに含まれる移動端末１４１とＦｅｍｔｏ  Ｃｅｌｌ用基地局１４２に関する情報等から、Ｈｏｍｅ  ＮＷ連携サービス提供の可否判定を行う。ＨＳＳ１１１は、Ｈｏｍｅ  ＮＷ連携サービスが提供可能であれば、アクセス認証中に、その旨をＭＭＥ１１３に通知する。【０１４５】
次に、ＭＭＥ１１３は、ＨＳＳ１１１からＨｏｍｅ  ＮＷ連携サービス提供が可能である旨の通知を受け、移動端末１４１がＨｏｍｅ  ＮＷ連携を希望していることを考慮して、Ｈｏｍｅ  ＮＷ連携サービス提供用のデータパス生成を指示する情報を含んだＡｔｔａｃｈ  ＡｃｃｅｐｔをＦｅｍｔｏ  Ｃｅｌｌ用基地局１４２に送信する（ステップ３０４）。【０１４６】
以降の処理（ステップ３０５〜３０８）は、図９に示した実施例１の処理（ステップ１０４〜１０７）と同様であるため説明を割愛する。【０１４７】
続いて、本実施例において、移動端末１４１が、移動端末向けＩＳＰ網１０１との間のデータパスが確立された後、Ｈｏｍｅ  ＮＷ連携サービスにて家庭内ＮＷ１０４にアクセス可能な新規ベアラの生成を要求する場合の動作について説明する。なお、ＭＭＥ１１３は、移動端末１４１と移動端末向けＩＳＰ網１０１との間のデータパスを生成する際の移動端末１４１のアクセス認証時に、ＨＳＳ１１１から移動端末１４１へのＨｏｍｅ  ＮＷ連携サービス提供の許可が通知されているものとする。【０１４８】
図１３は、本発明の実施例３の通信システムの動作の他の例を説明するフローチャートである。【０１４９】
図１３を参照すると、まず、移動端末１４１は、ベアラ生成要求としてＨｏｍｅ  ＮＷ連携サービスを希望する旨を示すＬＢＩ（Ｌｉｎｋｅｄ  Ｂｅａｒｅｒ  Ｉｄ）を付加したＲｅｑｕｅｓｔ  Ｂｅａｒｅｒ  Ｒｅｓｏｕｒｃｅ  ＡｌｌｏｃａｔｉｏｎをＦｅｍｔｏ  Ｃｅｌｌ用基地局１４２に送信する（ステップ４００）。【０１５０】
Ｆｅｍｔｏ  Ｃｅｌｌ用基地局１４２は、Ｒｅｑｕｅｓｔ  Ｂｅａｒｅｒ  Ｒｅｓｏｕｒｃｅ  Ａｌｌｏｃａｔｉｏｎを受信すると、ＭＭＥ１３に転送する（ステップ４０１）。【０１５１】
次に、ＭＭＥ１１３は、Ｒｅｑｕｅｓｔ  Ｂｅａｒｅｒ  Ｒｅｓｏｕｒｃｅ  Ａｌｌｏｃａｔｉｏｎを解析し、移動端末１４１がＨｏｍｅ  ＮＷ連携サービスにて家庭内ＮＷ１０４にアクセス可能なベアラ生成を要求していると判断すると、ＨＳＳ１１１から移動端末１４１へＨｏｍｅ  ＮＷ連携サービス提供の許可が出ているか否か確認する。ここでは、ＨＳＳ１１１からサービス提供の許可が出ているので、ＭＭＥ１１３は、データパス生成要請としてＨｏｍｅ  ＮＷ連携サービス提供用のデータパス生成を指示する情報を含んだＢｅａｒｅｒ  Ｓｅｔｕｐ  ＲｅｑｕｅｓｔをＦｅｍｔｏ  Ｃｅｌｌ用基地局１４２に送信する（ステップ４０２）。【０１５２】
Ｆｅｍｔｏ  Ｃｅｌｌ用基地局１４２は、Ｂｅａｒｅｒ  Ｓｅｔｕｐ  Ｒｅｑｕｅｓｔを受信すると、Ｈｏｍｅ  ＮＷ連携サービス用のＩＰアドレスを移動端末１４１に提供するために、Ｈｏｍｅ  ＧＷ１４３から移動端末１４１用のＩＰアドレスを取得する（ステップ４０３）。なお、Ｆｅｍｔｏ  Ｃｅｌｌ用基地局１４２が事前に移動端末１４１用のＩＰアドレスを知っている場合には、本フェーズはスキップされる。【０１５３】
次に、Ｆｅｍｔｏ  Ｃｅｌｌ用基地局１４２は、ＲＲＣ  Ｃｏｎｎｅｃｔｉｏｎ  Ｒｅｃｏｎｆｉｇｕｒａｔｉｏｎ／  ＲＲＣ  Ｃｏｎｎｅｃｔｉｏｎ  Ｒｅｃｏｎｆｉｇｕｒａｔｉｏｎ  Ｃｏｍｐｌｅｔｅを移動端末１４１と交換し（ステップ４０４，４０５）、移動端末１４１とＦｅｍｔｏ  Ｃｅｌｌ用基地局１４２との間のデータパスを生成する。また、Ｆｅｍｔｏ  Ｃｅｌｌ用基地局１４２は、データパスを生成する過程で、Ｈｏｍｅ  ＧＷ１４３から取得したＩＰアドレスを移動端末１４１に通知する。【０１５４】
Ｆｅｍｔｏ  Ｃｅｌｌ用基地局１４２は、移動端末１４１とＦｅｍｔｏ  Ｃｅｌｌ用基地局１４２との間のデータパス生成が完了すると、データパス生成応答としてＢｅａｒｅｒ  Ｓｅｔｕｐ  ＲｅｓｐｏｎｓｅをＭＭＥ１１３に送信する（ステップ４０６）。【０１５５】
以降、移動端末１４１は、生成されたデータパスを使用して、移動端末向けＩＳＰ網１０１を経由することなく家庭内ＮＷ１０４にアクセスし、固定端末１４４と通信を行う。【０１５６】
（実施例４）
本発明の実施例４は、第２の実施形態を具体化したものである。【０１５７】
本実施例の通信システムの構成は、図１０に示した実施例２の通信システムの構成と同様であるが、実施例２と比較して、移動端末１４１が、Ｈｏｍｅ  ＮＷ連携サービスを希望するか否かを明示する点と、Ｆｅｍｔｏ  Ｃｅｌｌ用基地局１４２が、連携可能情報を移動端末１４１に広告する点で動作が異なる。【０１５８】
本実施例の通信システムの全体の動作の詳細について説明する。【０１５９】
最初に、本実施例において、移動端末１４１がＦｅｍｔｏ  Ｃｅｌｌ用基地局１４２を介して家庭内ＮＷ１０４にアクセスする動作について説明する。【０１６０】
図１４は、本発明の実施例４の通信システムの動作の一例を説明するフローチャートである。なお、図１４に示した本実施例の動作において、図１１に示した実施例２の通信システムの動作と異なる点は、Ｆｅｍｔｏ  Ｃｅｌｌ用基地局１４２が、ＤＬ―ＭＡＰメッセージを使用して明示的に連携可能情報を移動端末１４１に広告する点と、移動端末１４１が、Ｈｏｍｅ  ＮＷ連携サービスを希望するか否かを示す連携希望情報を含むＥＡＰ  Ｒｅｓｐｏｎｓｅ／ＩｄｅｎｔｉｔｙをＦｅｍｔｏ  Ｃｅｌｌ用基地局１４２を介してＡＳＮ−ＧＷ２１３に送信する点の２点である。【０１６１】
図１４を参照すると、まず、Ｆｅｍｔｏ  Ｃｅｌｌ用基地局１４２は、連携可能情報をＤＬ−ＭＡＰメッセージを使用して、ブロードキャストにて移動端末１４１を含むセル内の全ての端末に広告する（ステップ５００）。【０１６２】
次に、移動端末１４１は、Ｆｅｍｔｏ  Ｃｅｌｌ用基地局１４２へアクセスを開始し、Ｆｅｍｔｏ  Ｃｅｌｌ用基地局１４２との間でリンク確立後（ステップ５０１）、ＳＢＣ  Ｎｅｇｏｔｉａｔｉｏｎを開始する（ステップ５０２）。【０１６３】
次に、Ｆｅｍｔｏ  Ｃｅｌｌ用基地局１４２は、移動端末１４１とのＳＢＣ  Ｎｅｇｏｔｉａｔｉｏｎの過程で、連携可能情報を含めたＭＳ＿ＰｒｅＡｔｔａｃｈｍｅｎｔ＿ＲｅｑをＡＳＮ−ＧＷ２１３に送信する（ステップ５０３）。【０１６４】
ＡＳＮ−ＧＷ２１３は、ＭＳ＿ＰｒｅＡｔｔａｃｈｍｅｎｔ＿Ｒｅｑを受信すると、Ｆｅｍｔｏ  Ｃｅｌｌ用基地局１４２がＨｏｍｅ  ＮＷ連携可能な機能を具備していることを記憶し、ＭＳ＿ＰｒｅＡｔｔａｃｈｍｅｎｔ＿ＲｓｐをＦｅｍｔｏ  Ｃｅｌｌ用基地局１４２に返信する。【０１６５】
Ｆｅｍｔｏ  Ｃｅｌｌ用基地局１４２は、ＳＢＣ  Ｎｅｇｏｔｉａｔｉｏｎが完了すると、ＡＳＮ−ＧＷ２１３にＭＳ＿ＰｒｅＡｔｔａｃｈｍｅｎｔ＿Ａｃｋを送信する（ステップ５０４）。【０１６６】
ＡＳＮ−ＧＷ２１３は、ＭＳ＿ＰｒｅＡｔｔａｃｈｍｅｎｔ＿Ａｃｋを受信すると、移動端末のアクセス認証を開始するために、ＥＡＰ  Ｒｅｑｕｅｓｔ／Ｉｄｅｎｔｉｔｙを移動端末１４１に送信する（ステップ５０５）。【０１６７】
ここでは、移動端末１４１がＨｏｍｅ  ＮＷ連携サービスを希望するものとし、移動端末１４１は、ＥＡＰ  Ｒｅｑｕｅｓｔ／Ｉｄｅｎｔｉｔｙを受信すると、Ｈｏｍｅ  ＮＷ連携サービスを希望する旨の情報をＥＡＰ  Ｒｅｓｐｏｎｓｅ／ＩｄｅｎｔｉｔｙのＯｕｔｅｒ  ＮＡＩに設定し、そのＥＡＰ  Ｒｅｓｐｏｎｓｅ／ＩｄｅｎｔｉｔｙをＡＳＮ−ＧＷ２１３に送信する（ステップ５０６）。なお、Ｏｕｔｅｒ  ＮＡＩに設定する情報の形式としては、例えば、“｛ａｔ＝１｝ｕｓｅｒｎａｍｅ＠ｒｅａｌｍ”という形式が考えられる。ここで“ａｔ”はＡｔｔａｃｈ  Ｔｙｐｅの略で、Ａｔｔａｃｈ  Ｔｙｐｅの値が１の場合、Ｈｏｍｅ  ＮＷ連携サービスを希望する旨を示しているものとしている。【０１６８】
ＡＳＮ−ＧＷ２１３は、ＭＳ＿ＰｒｅＡｔｔａｃｈｍｅｎｔ＿Ｒｅｑから、Ｆｅｍｔｏ  Ｃｅｌｌ用基地局１４２がＨｏｍｅ  ＮＷ連携機能を具備していることを検知しているので、ＥＡＰ  Ｒｅｓｐｏｎｓｅ／Ｉｄｅｎｔｉｔｙを受信すると、移動端末１４１のアクセス認証を開始し（ステップ５０７）、アクセス認証中に移動端末１４１へのＨｏｍｅ  ＮＷ連携サービス提供の可否判定をＡＡＡサーバ２１１に依頼するために、認証メッセージを送信する。【０１６９】
次に、ＡＡＡサーバ２１１は、認証メッセージに含まれる移動端末１４１とＦｅｍｔｏ  Ｃｅｌｌ用基地局１４２に関する情報等から、Ｈｏｍｅ  ＮＷ連携サービス提供の可否判定を行う。ＡＡＡサーバ２１１は、Ｈｏｍｅ  ＮＷ連携サービスが提供可能であれば、アクセス認証中に、その旨をＡＡＡサーバ２１３に通知する。【０１７０】
以降の処理（ステップ５０８〜５１４）は、図１１に示した実施例２の処理（ステップ２０７〜２１３）と同様であるため説明を割愛する。【０１７１】
続いて、本実施例において、移動端末１４１が、移動端末向けＩＳＰ網１０１との間のデータパスが確立された後、Ｈｏｍｅ  ＮＷ連携サービスにて家庭内ＮＷ１０４にアクセス可能な新規ベアラの生成を要求する場合の動作について説明する。なお、ＡＳＮ−ＧＷ２１３は、移動端末１４１と移動端末向けＩＳＰ網１０１との間のデータパスを生成する際の移動端末１４１のアクセス認証時に、ＡＡＡサーバ２１１から移動端末１４１へのＨｏｍｅ  ＮＷ連携サービス提供の許可が通知されているものとする。【０１７２】
図１５は、本発明の実施例４の通信システムの動作の一例を説明するフローチャートである。【０１７３】
図１５を参照すると、移動端末１４１は、ベアラ生成要求としてＨｏｍｅ  ＮＷ連携サービスを希望する旨を示すＡＰＮ（Ａｃｃｅｓｓ  Ｐｏｉｎｔ  Ｎａｍｅ）を付加したＤＳＡ（Ｄｙｎａｍｉｃ  Ｓｅｒｖｉｃｅ  Ａｄｄｉｔｉｏｎ）  ＲｅｑｕｅｓｔをＦｅｍｔｏ  Ｃｅｌｌ用基地局１４２に送信する（ステップ６００）。【０１７４】
Ｆｅｍｔｏ  Ｃｅｌｌ用基地局１４２はＤＳＡ  Ｒｅｑｕｅｓｔを受信すると、移動端末１４１がＨｏｍｅ  ＮＷ連携サービスにて家庭内ＮＷ１０４にアクセス可能な新規ベアラの生成を要求していることを示すＤＰ＿Ｒｅｇ＿ＲｅｑをＡＳＮ−ＧＷ２１３に送信する（ステップ６０１）。【０１７５】
ＡＳＮ−ＧＷ２１３はＤＳＡ  Ｒｅｑｕｅｓｔを解析し、移動端末１４１がＨｏｍｅ  ＮＷ連携サービスにて家庭内ＮＷ１０４にアクセス可能なベアラの生成を要求していると判断すると、ＡＡＡサーバ２１１から移動端末１４１へのＨｏｍｅ  ＮＷ連携サービス提供の許可が出ているか否か確認する。ここでは、ＡＡＡサーバ２１１からサービス提供の許可が出ているので、ＡＳＮ−ＧＷ２１３は、Ｈｏｍｅ  ＮＷ連携サービス提供用のデータパス生成を指示する情報を含んだＤＰ＿Ｒｅｇ＿ＲｓｐをＦｅｍｔｏ  Ｃｅｌｌ用基地局１４２に送信する（ステップ６０２）。【０１７６】
Ｆｅｍｔｏ  Ｃｅｌｌ用基地局１４２は、ＤＰ＿Ｒｅｇ＿Ｒｓｐを受信すると、移動端末１４１へのＨｏｍｅ  ＮＷ連携サービスが提供可能であると判断する。【０１７７】
次に、Ｆｅｍｔｏ  Ｃｅｌｌ用基地局１４２は、ＤＳＡ  Ｒｅｓｐｏｎｓｅ／ＤＳＡ  Ａｃｋを移動端末１４１と交換し（ステップ６０３，６０４）、移動端末１４１とＦｅｍｔｏ  Ｃｅｌｌ用基地局１４２との間のデータパスを生成する。【０１７８】
移動端末１４１は、移動端末１４１とＦｅｍｔｏ  Ｃｅｌｌ用基地局１４２との間のデータパス生成が完了すると、Ｆｅｍｔｏ  Ｃｅｌｌ用基地局１４２を介して、Ｈｏｍｅ  ＧＷ１４３からＨｏｍｅ  ＮＷ連携サービス用のＩＰアドレスを取得する（ステップ６０５）。【０１７９】
以降、移動端末１４１は、生成されたデータパスを使用して、移動端末向けＩＳＰ網１０１を経由することなく家庭内ＮＷ１０４にアクセスし、固定端末１４４と通信を行う。【０１８０】
なお、本発明のフェムトセル用基地局、認証手段、接続制御手段、および移動端末にて行われる方法は、フェムトセル用基地局、認証手段、接続制御手段、および移動端末に実行させるためのプログラムに適用してもよい。また、そのプログラムを記憶媒体に格納することも可能であり、ネットワークを介して外部に提供することも可能である。【０１８１】
以上、実施形態および実施例を参照して本発明を説明したが、本発明は実施形態および実施例に限定されるものではない。クレームに定義された本発明の構成や詳細には、発明のスコープ内で当業者が理解し得る様々な変更をすることができる。【０１８２】
この出願は、２００８年１０月６日に出願された日本出願特願２００８−２５９６５９を基礎として優先権の利益を主張するものであり、その開示の全てを引用によってここに取り込む。
【図１】
0005510332.tif 000002
【図２】
0005510332.tif 000003
【図３】
0005510332.tif 000004
【図４】
0005510332.tif 000005
【図５】
0005510332.tif 000006
【図６】
0005510332.tif 000007
【図７】
0005510332.tif 000008
【図８】
0005510332.tif 000009
【図９】
0005510332.tif 000010
【図１０】
0005510332.tif 000011
【図１１】
0005510332.tif 000012
【図１２】
0005510332.tif 000013
【図１３】
0005510332.tif 000014
【図１４】
0005510332.tif 000015
【図１５】
0005510332.tif 000016